(57)【要約】      （修正有）【課題】各種プラントの検査工事に必要な検査員と検査機器を迅速に確保することができるプラント検査業務支援システムを提供する。【解決手段】プラント検査工事を実施するために必要な人材情報と、該プラント検査工事を実施するにあたって優先する項目を重み付けする補正係数２０とを入力する入力手段２と、プラントの検査工事業務を行う少なくとも人材の氏名、所属会社、有する資格、技量、検査実績、コスト、さらに望ましくは、トラブル歴を含む人材に関する情報が記憶される人材データベース１２を有し、該人材データベース１２に記憶されている情報を検索する検索手段４と、検索された人材をその所属する会社毎に集合する集合手段６と、集合された会社毎にランク付けするランク付け手段８とを備える。【選択図】図１
2010134815.tif 000002
【特許請求の範囲】
【請求項１】
種々の情報が記憶されるサーバのデータベースを適用し、情報の入力手段と出力手段を有するコンピュータを用いてプラント検査工事を実施する会社を決定するプラント検査工事の業務支援を行うプラント検査業務支援システムにおいて、
前記プラント検査工事の対象設備から検査項目を抽出する検査項目抽出手段と、
前記検査項目から前記プラント検査工事を実施するために必要な少なくとも人材の人数、資格、技量を含む人材情報を抽出する手段と、
前記プラント検査工事を実施するために必要な前記人材情報と、該プラント検査工事を実施するにあたって優先する項目を重み付けする補正係数とを入力する入力手段と、
前記プラントの検査工事業務を行う少なくとも人材の氏名、所属会社、有する資格、技量、検査実績、コスト、さらに望ましくは、トラブル歴を含む人材に関する情報が記憶される人材データベースを有し、該人材データベースに記憶されている情報を検索する検索手段と、
前記検索手段で検索された人材をその所属する会社毎に集合する集合手段と、
前記集合手段で集合された会社毎にランク付けするランク付け手段とを備え、
前記優先する項目は、少なくとも実績、コスト、さらに望ましくは、対応速度、トラブル歴を含み、
前記集合手段は、前記検索手段で検索された人材を、前記人材情報と補正係数を共に満たすという必要条件に適合しない会社を除外する除外部と、該除外部で除外されなかった前記必要条件を満たす会社に点数付けする点数付け部とを有することを特徴とするプラント検査業務支援システム。
【請求項２】
請求項１記載のプラント検査業務支援システムにおいて、
前記検査項目から前記プラント検査工事を実施するために必要な少なくとも人材の人数、資格、技量を含む人材情報を抽出する手段と、前記プラント検査工事を実施するために必要な少なくとも機材の種類、コストを含む機材情報を抽出する手段と、
前記プラント検査工事を実施するために必要な前記人材情報と、前記プラント検査工事を実施するために必要な機材の前記機材情報と、該プラント検査工事を実施するにあたって優先する項目を重み付けする補正係数とを入力する入力手段と、
前記プラントの検査工事業務を行う少なくとも人材の氏名、所属会社、有する資格、技量、検査実績、コスト、さらに望ましくは、トラブル歴を含む人材に関する情報が記憶される人材データベースと、前記プラントの検査工事を実施するために必要な少なくとも機材の種類、コスト、さらに望ましくは、保有者、製造年月、検査実績、メーカー、検定履歴、性能を含む機材に関する情報が記憶される機材データベースとを有し、該人材データベース及び機材データベースに記憶されている情報を検索する検索手段と、
前記検索手段で検索された人材及び機材をその所属する会社毎に集合する集合手段と、
前記集合手段で集合された会社毎にランク付けするランク付け手段とを備え、
前記優先する項目は、少なくとも実績、コスト、さらに望ましくは、技量、対応速度、トラブル歴を含み、
前記集合手段は、前記検索手段で検索された人材及び機材を、前記人材情報と機材情報と補正係数を全て満たすという必要条件に適合しない会社を除外する除外部と、該除外部で除外されなかった前記必要条件を満たす会社に点数付けする点数付け部とを有することを特徴とするプラント検査業務支援システム。
【請求項３】
前記プラント検査工事の検査対象、検査実施者、検査結果といった過去の事例に関する情報が記憶される検査工事データベースを有し、該検査工事データベースに記憶されている情報を検索して実績データを照合する手段と、
前記検査項目から前記プラント検査工事を実施するために必要な人材情報と機材情報を抽出する手段と、を備え、
前記検査対象は少なくとも会社名、プラント名、検査時期、検査部位、検査内容を含み、前記検査実施者は少なくとも氏名、所属を含み、前記検査結果は少なくとも結果の質、報告書データを含んで前記検査工事データベースが構成されることを特徴とする請求項２記載のプラント検査業務支援システム。
【請求項４】
前記検索手段は、
前記プラント検査工事を実施する会社の少なくとも企業名、過去の依頼実績、検査結果の質、検査コスト、望ましくは、資本金、従業員数、自社及び他社との資本関係、事務手続能力、トラブル歴を含む会社の検査工事に関する会社情報が記憶されている会社データベースを有し、前記人材データベース及び機材データベースとともに、該会社データベースに記憶されている情報を検索する手段であって、
前記集合手段は、前記検索手段で検索された人材及び機材を、前記人材情報と機材情報と会社情報と補正係数を全て満たすという必要条件に適合しない会社を除外する除外部と、該除外部で除外されなかった前記必要条件を満たす会社に点数付けする点数付け部とを有することを特徴とする請求項２記載のプラント検査業務支援システム。
【請求項５】
前記ランク付け手段でランク付けされた会社ランクの階層の一段下に、前記会社に所属する人材若しくは機材毎にランク付けする第２のランク付け手段を備えることを特徴とする請求項１若しくは２記載のプラント検査業務支援システム。
【請求項６】
前記ランク付け手段で得られるランク付けデータを検索結果として出力する出力手段を備え、該出力手段に基づいてプラント検査工事を実施する会社を決定し、該プラント検査工事後にプラント検査工事の評価を行い、その評価を前記コンピュータの入力手段を用いて前記人材データベース、機材データベース、検査工事データベース、会社データベースの少なくとも１つに記憶させるデータベース管理手段を備えたことを特徴とする請求項１乃至請求項４のいずれかに記載のプラント検査業務支援システム。
【発明の詳細な説明】
【技術分野】
【０００１】
本発明は、種々の情報が記憶されるサーバのデータベースを適用し、情報の入力手段と出力手段を有するコンピュータを用いてプラント検査工事を実施する会社を決定するプラント検査工事の業務支援を行うプラント検査業務支援システムに関する。
【背景技術】
【０００２】
火力発電所を初めとする各種プラントを安定運転するためには、経年使用に伴う材質の劣化、腐食や磨耗による減肉等を的確に判断し、適宜取替えを行って、プラントの緊急停止に繋がるようなトラブルを未然に防止することが肝要である。
現在、プラントを保有する顧客と事前に定期点検工事の内容を擦り合わせて実施検査項目を決定しているが、定期点検工事の時期が集中すると予定の点検で不安要素が見出された際に追加の検査が急遽実施されるケースがあることから、検査員の確保、検査機器の確保に混乱をきたす場合が散見される。
【０００３】
この混乱の原因としては、定期点検工事を行う検査員に関するきちんとしたデータベースがない、検査員に関する情報が収集し難い、定期点検工事に必要な検査機器を管理するシステムがない若しくは十分な機能を備えていない等が挙げられる。
【０００４】
そこで、各種プラントの定期点検工事が混乱をきたすことなく実施されるシステムを構築することが考えられる。例えば、特許文献１（特開２００７−２７２５４６号公報）には、プラントのメンテナンスを行うメンテナンスシステムが開示されている。
詳しくは、プラントを構成する設備又は機器に関するメンテナンスに関連する情報が格納されたプラント所有者側データベースと、上記データベースにアクセスして情報を入手できると共にネットワークに接続されたプラント所有者側端末機と、プラント所有者関連情報が格納されたメンテナンス事業者側データベースと、上記ネットワークに接続されると共に、上記メンテナンス事業者側データベースの情報を管理すると共に当該情報の提供を行うサーバと、上記ネットワークに接続されて当該ネットワークを介してメンテナンス事業者側データベース及びプラント所有者側データベースにアクセスしうるメンテナンス事業者側端末機とを有し、プラントの設備又は機器に関しメンテナンスの必要性が生じた場合には、メンテナンス作業員が上記プラント所有者側端末機又はメンテナンス事業者側端末機によりネットワークを介して上記プラント所有者側データベース及びメンテナンス事業者データベースにアクセスして、プラント所有者側データベース及びメンテナンス事業者側データベースに格納された情報を参照しつつメンテナンス作業を行うメンテナンスシステムが説明されている。
【０００５】
【特許文献１】特開２００７−２７２５４６号公報
【発明の開示】
【発明が解決しようとする課題】
【０００６】
しかしながら、前記特許文献１に示されているメンテナンスシステムは、当該メンテナンスの対象となるプラント所有者側の情報はプラント所有者側データベースに格納され、メンテナンス事業者側ではなくプラント所有者側が保持し、メンテナンス事業者は必要に応じて、プラント所有者側データベースを利用してメンテナンス作業や、メンテナンス教育等を行うように構成し、プラント所有者のメンテナンス作業者のみによりメンテナンス事業者から自立してプラントのメンテナンスを行うことができるようにしているものであり、外部の検査会社に所属する検査員や検査機器の手配については示されていない。
【０００７】
また、定期点検工事の予定の点検で不安要素が見出された際に追加の検査が急遽実施されるケースに混乱をきたすことなく、優秀な検査員や性能の高い検査機器を確保するためには、検査員や検査機器を派遣する検査会社の情報（検査員、検査機器、実績等）をきちんと把握する必要がある。
【０００８】
そこで、本発明はかかる従来技術の課題に鑑み、各種プラントの検査工事に必要な検査員と検査機器を迅速に確保することができるプラント検査業務支援システムを提供することを課題とする。
【課題を解決するための手段】
【０００９】
かかる課題を解決するため、種々の情報が記憶されるサーバのデータベースを適用し、情報の入力手段と出力手段を有するコンピュータを用いてプラント検査工事を実施する会社を決定するプラント検査工事の業務支援を行うプラント検査業務支援システムにおいて、
前記プラント検査工事の対象設備から検査項目を抽出する検査項目抽出手段と、前記検査項目から前記プラント検査工事を実施するために必要な少なくとも人材の人数、資格、技量を含む人材情報を抽出する手段と、前記プラント検査工事を実施するために必要な前記人材情報と、該プラント検査工事を実施するにあたって優先する項目を重み付けする補正係数とを入力する入力手段と、前記プラントの検査工事業務を行う少なくとも人材の氏名、所属会社、有する資格、技量、検査実績、コスト、さらに望ましくは、トラブル歴を含む人材に関する情報が記憶される人材データベースを有し、該人材データベースに記憶されている情報を検索する検索手段と、前記検索手段で検索された人材をその所属する会社毎に集合する集合手段と、前記集合手段で集合された会社毎にランク付けするランク付け手段とを備え、
前記優先する項目は、少なくとも実績、コスト、さらに望ましくは、対応速度、トラブル歴を含み、前記集合手段は、前記検索手段で検索された人材を、前記人材情報と補正係数を共に満たすという必要条件に適合しない会社を除外する除外部と、該除外部で除外されなかった前記必要条件を満たす会社に点数付けする点数付け部とを有することを特徴とする。
【００１０】
かかる発明によれば、各種プラントの検査工事に必要な検査員（人材）の人数、資格、技量を考慮するとともに、検査工事を行うにあたっての実績、コスト、さらに望ましくは、対応速度、トラブル歴のような優先すべき項目を考慮して検査員が所属する検査会社毎にランク付けし、検査会社に所属する検査員の確保を迅速に行うことができる。
よって、検査員を確保するための検査会社への手配が容易となり、各種プラントのメンテナンスを計画的に実施することが可能となり、プラントの停止につながるようなトラブルを未然に防止することが出来る。
なお、検査工事に必要な検査機器は、検査員とは別途に用意することが可能となる。
【００１１】
また、前記検査項目から前記プラント検査工事を実施するために必要な少なくとも人材の人数、資格、技量を含む人材情報を抽出する手段と、前記プラント検査工事を実施するために必要な少なくとも機材の種類、コストを含む機材情報を抽出する手段と、前記プラント検査工事を実施するために必要な前記人材情報と、前記プラント検査工事を実施するために必要な機材の前記機材情報と、該プラント検査工事を実施するにあたって優先する項目を重み付けする補正係数とを入力する入力手段と、前記プラントの検査工事業務を行う少なくとも人材の氏名、所属会社、有する資格、技量、検査実績、コスト、さらに望ましくは、トラブル歴を含む人材に関する情報が記憶される人材データベースと、前記プラントの検査工事を実施するために必要な少なくとも機材の種類、コスト、さらに望ましくは、保有者、製造年月、検査実績、メーカー、検定履歴、性能を含む機材に関する情報が記憶される機材データベースとを有し、該人材データベース及び機材データベースに記憶されている情報を検索する検索手段と、前記検索手段で検索された人材及び機材をその所属する会社毎に集合する集合手段と、前記集合手段で集合された会社毎にランク付けするランク付け手段とを備え、
前記優先する項目は、少なくとも実績、コスト、さらに望ましくは、技量、対応速度、トラブル歴を含み、前記集合手段は、前記検索手段で検索された人材及び機材を、前記人材情報と機材情報と補正係数を全て満たすという必要条件に適合しない会社を除外する除外部と、該除外部で除外されなかった前記必要条件を満たす会社に点数付けする点数付け部とを有することを特徴とする。
【００１２】
かかる発明によれば、各種プラントの検査工事に必要な検査員（人材）の人数、資格、技量を考慮するとともに、各種プラントの検査工事に必要な検査機器の種類、メーカー、性能、コストを考慮し、また検査工事を行うにあたっての優先すべき項目を考慮して検査員及び検査機器が所属する検査会社毎にランク付けし、検査会社に所属する検査員と検査機器の確保を迅速に行うことができる。
よって、検査員及び検査機器（機材）を確保するための検査会社への手配が容易となり、各種プラントのメンテナンスを計画的に実施することが可能となる。
なお、前記プラント検査工事を実施するために必要な機材情報を抽出する手段は、機材の種類、コストの他にさらに望ましくは、保有者、製造年月、検査実績、メーカー、検定履歴、性能を含む。
【００１３】
また、前記プラント検査工事の検査対象、検査実施者、検査結果といった過去の事例に関する情報が記憶される検査工事データベースを有し、該検査工事データベースに記憶されている情報を検索して実績データを照合する手段と、前記検査項目から前記プラント検査工事を実施するために必要な人材情報と機材情報を抽出する手段と、を備え、前記検査対象は少なくとも会社名、プラント名、検査時期、検査部位、検査内容を含み、前記検査実施者は少なくとも氏名、所属を含み、前記検査結果は少なくとも結果の質、報告書データを含んで前記検査工事データベースが構成されることを特徴とする。
【００１４】
これにより、過去の事例を参照して前記プラント検査工事を実施するために必要な人材情報と機材情報を決定する機能が付加され、検査員（人材）と検査機器（機材）の確保をより正確且つ迅速に行うことができる。
【００１５】
さらに、前記検索手段は、前記プラント検査工事を実施する会社の少なくとも企業名、過去の依頼実績、検査結果の質、検査コスト、望ましくは、資本金、従業員数、自社及び他社との資本関係、事務手続能力、トラブル歴を含む会社の検査工事に関する会社情報が記憶されている会社データベースを有し、前記人材データベース及び機材データベースとともに、該会社データベースに記憶されている情報を検索する手段であって、
前記集合手段は、前記検索手段で検索された人材及び機材を、前記人材情報と機材情報と会社情報と補正係数を全て満たすという必要条件に適合しない会社を除外する除外部と、該除外部で除外されなかった前記必要条件を満たす会社に点数付けする点数付け部とを有することを特徴とする。
【００１６】
これにより、前記プラント検査工事を実施する会社の少なくとも企業名、過去の依頼実績、検査結果の質、検査コスト、望ましくは、資本金、従業員数、自社及び他社との資本関係、事務手続能力、トラブル歴を含む会社の検査工事に関する会社情報を参照して前記プラント検査工事を実施するために必要な人材情報と機材情報を決定する機能が付加され、検査員と検査機器の確保をより正確且つ迅速に行うことができる。
【００１７】
また、前記ランク付け手段でランク付けされた会社ランクの階層の一段下に、前記会社に所属する人材若しくは機材毎にランク付けする第２のランク付け手段を備えることを特徴とする。
これにより、ランク付けされた検査会社を選択すると、その検査会社に所属する検査員若しくは検査装置がランク付けされて表示されるので、検査員若しくは検査装置の情報をふまえて検査会社をより精度良く選択することが可能となる。
【００１８】
さらに、前記ランク付け手段で得られるランク付けデータを検索結果として出力する出力手段を備え、該出力手段に基づいてプラント検査工事を実施する会社を決定し、該プラント検査工事後にプラント検査工事の評価を行い、その評価を前記コンピュータの入力手段を用いて前記人材データベース、機材データベース、検査工事データベース、会社データベースの少なくとも１つに記憶させるデータベース管理手段を備えたことを特徴とする。
このようなデータベース管理手段を備えたことにより、プラント検査工事後の評価により各データベースに新規情報をインプットしたり、例えば検査員の資格や技術等の情報を更新したりして各データベースを最新の情報を蓄積させ、次のプラント検査工事の検査員や検査機器の確保のために役立てることができる。
【発明の効果】
【００１９】
本発明によれば、各種プラントの検査工事に必要な検査員と検査機器を迅速に確保することができるプラント検査業務支援システムを提供でき、検査員と検査機器を確保するための検査会社への手配が容易となり、各種プラントのメンテナンスを計画的に実施することが可能となり、プラントの停止につながるようなトラブルを未然に防止することが出来る。
【発明を実施するための最良の形態】
【００２０】
以下、本発明を図に示した実施例を用いて詳細に説明する。但し、この実施例に記載されている構成部品の寸法、材質、形状、その相対配置などは特に特定的な記載がない限り、この発明の範囲をそれのみに限定する趣旨ではなく、単なる説明例にすぎない。
図１は実施形態１に係るプラント検査業務支援システムを示すブロック図、図２は実施形態１に係るプラント検査業務支援システムにおける業務処理の概略をフローチャート、図３は実施形態２に係るプラント検査業務支援システムを示すブロック図、図４は実施形態２に係るプラント検査業務支援システムにおける業務処理の概略をフローチャート、図５は実施形態３に係るプラント検査業務支援システムを示すブロック図、図６は実施形態３に係るプラント検査業務支援システムにおける業務処理の概略をフローチャート、図７は実施形態４に係るプラント検査業務支援システムを示すブロック図、図８は実施形態４に係るプラント検査業務支援システムにおける業務処理の概略をフローチャート、図９は実施形態５に係るプラント検査業務支援システムを示すブロック図、図１０は実施形態５に係るプラント検査業務支援システムにおける業務処理の概略をフローチャートである。
【００２１】
（実施形態１）
実施形態１に係るプラント検査業務支援システムについて図１、２を用いて説明する。
図１に示すプラント検査業務支援システムは、情報の入力を行う入力手段２と、人材データベース（人材ＤＢ）１２が繋がる検索手段４と、前記検索手段４で検索された人材（検査員）をその所属する会社毎に集合する集合手段６と、前記集合手段６で集合された会社毎にランク付けするランク付け手段８と、前記ランク付け手段８で得られるランク付けデータを検索結果として出力する出力手段１０とで構成される。
【００２２】
前記入力手段２では、プラント検査工事の対象設備から検査項目を抽出する検査項目抽出手段によって抽出されたプラント検査工事を実施するために必要な少なくとも人材の人材の氏名、所属会社、有する資格、技量、検査実績、コスト、さらに望ましくは、トラブル歴を含む人材情報２１といった情報が入力される。
また、人材データベース１２は、少なくとも人材の氏名、所属会社、有する資格、技量、検査実績、コスト、さらに望ましくは、トラブル歴を含む人材に関する情報が記憶される。
【００２３】
また、検索手段４は、検査工事に必要な人材情報の最低限必須条件をインプットする検索インプット機能２３と、データベースを検索して必須条件に合致した人材を抽出すると共に、データベースに収められた各種のランク付け項目や付帯条件への適合性を評価し、該当人材をランク付けして抽出する検索機能２４と、前記検索結果をディスプレイまたは紙に出力表示する検索アウトプット機能２５と、データベースに新規情報をインプット若しくはデータを更新するデータベース（ＤＢ）管理機能２６とを有する。
前記検索手段４には、プラント検査工事を実施するにあたって少なくとも実績、コスト、さらに望ましくは、技量、対応速度、トラブル歴を含む優先する項目を重み付けする補正係数２０が入力される。
【００２４】
集合手段６は、前記検索手段４で検索された人材を、前記人材情報の補正係数を全て満たすという必要条件に適合しない会社を除外する除外部３１と、該除外部で除外されなかった前記必要条件を満たす会社に点数付けする点数付け部３２とを有する。
【００２５】
前記ランク付け手段８は、前記集合手段６で集合された会社毎にランク付けされた会社ランク表３３を備え、会社ランク表３３の階層の一段下に、前記会社に所属する人材にランク付けされた人材ランク表を有する。
【００２６】
次にプラント検査業務支援システムにおける業務処理の具体的な方法について図２を用いて説明する。
ステップＳ０１で検査工事業務依頼があると処理が開始され、ステップＳ０２で検査工事対象設備から検査項目を抽出する。ステップＳ０３で抽出された検査項目から人材情報の要素を抽出し、ステップＳ０４で抽出した人材情報を入力する。また、ステップＳ０５で前記補正係数を入力する。
【００２７】
ステップＳ０６で検索実行して人材データベースに記憶されている情報を検索する。ステップＳ０７で検索された人材を、前記人材情報と補正係数のうち１つでも満たさない会社を除外し、ステップＳ０８で除外されなかった会社に点数付けを行う。
【００２８】
その後、ステップＳ０９で会社単位のランク付けを行い、会社ランクの階層の一段下に、ステップＳ０１０で人材情報のサブディレクトリを作成して会社に所属する人材をランク付けする。
【００２９】
ステップＳ０１１で検索結果を出力し、その出力をもとにステップＳ０１２で検査工事を依頼する会社を決定する。
検査工事終了後、ステップＳ０１３で検査工事業務の結果の評価を入力し、ステップＳ０１４で人材データベースを更新し、ステップＳ０１５で処理を終了する。
このようにして、検査人員を迅速に確保することができる。このとき、検査工事に必要な検査機器は、検査員とは別途に用意することができる。
【００３０】
（実施形態２）
実施形態２に係るプラント検査業務支援システムについて図３、４を用いて説明する。
図３に示すプラント検査業務支援システムは、情報の入力を行う入力手段２と、人材データベース（人材ＤＢ）１２と機材データベース（機材ＤＢ）１４とが繋がる検索手段４と、前記検索手段４で検索された人材（検査員）と機材（検査機器）をその所属する会社毎に集合する集合手段６と、前記集合手段６で集合された会社毎にランク付けするランク付け手段８と、前記ランク付け手段８で得られるランク付けデータを検索結果として出力する出力手段１０とで構成される。
【００３１】
前記入力手段２では、プラント検査工事の対象設備から検査項目を抽出する検査項目抽出手段によって抽出されたプラント検査工事を実施するために必要な少なくとも人材の氏名、所属会社、有する資格、技量、検査実績、コスト、さらに望ましくは、トラブル歴を含む人材情報２１と、前記プラント検査工事を実施するために必要な少なくとも機材の種類、コスト、さらに望ましくは、保有者、製造年月、検査実績、メーカー、検定履歴、性能を含む機材情報２１といった情報が入力される。
【００３２】
人材データベース１２は、少なくとも人材の氏名、所属会社、有する資格、技量、検査実績、コスト、さらに望ましくは、トラブル歴を含む人材に関する情報が記憶される。
また、機材データベース１４は、少なくとも機材の種類、コスト、さらに望ましくは、保有者、製造年月、検査実績、メーカー、検定履歴、性能を含む機材に関する情報が記憶される。
【００３３】
また、検索手段４は、検査工事に必要な人材情報、機材情報の最低限必須条件をインプットする検索インプット機能２３と、データベースを検索して必須条件に合致した人材または機材を抽出すると共に、データベースに収められた各種のランク付け項目や付帯条件への適合性を評価し、該当人材、該当機材をランク付けして抽出する検索機能２４と、前記検索結果をディスプレイまたは紙に出力表示する検索アウトプット機能２５と、データベースに新規情報をインプット若しくはデータを更新するデータベース（ＤＢ）管理機能２６とを有する。
前記検索手段４には、プラント検査工事を実施するにあたって少なくとも実績、コスト、さらに望ましくは、技量、対応速度、トラブル歴を含む優先する項目を重み付けする補正係数２０が入力される。
【００３４】
集合手段６は、前記検索手段４で検索された人材及び機材を、前記人材情報と機材情報と補正係数を全て満たすという必要条件に適合しない会社を除外する除外部３１と、該除外部で除外されなかった前記必要条件を満たす会社に点数付けする点数付け部３２とを有する。
【００３５】
前記ランク付け手段８は、前記集合手段で集合された会社毎にランク付けされた会社ランク表３３を備え、会社ランク表３３の階層の一段下に、前記会社に所属する人材若しくは機材毎にランク付けされた人材ランク表、機材ランク表を有する。
【００３６】
次にプラント検査業務支援システムにおける業務処理の具体的な方法について図４を用いて説明する。
ステップＳ１で検査工事業務依頼があると処理が開始され、ステップＳ２で検査工事対象設備から検査項目を抽出する。ステップＳ３で抽出された検査項目から人材情報、機材情報の要素を抽出し、ステップＳ４で抽出した人材情報、機材情報を入力する。また、ステップＳ５で前記補正係数を入力する。
【００３７】
ステップＳ６で検索実行して人材データベース及び機材データベースに記憶されている情報を検索する。ステップＳ７で検索された人材及び機材を、前記人材情報と機材情報と補正係数のうち１つでも満たさない会社を除外し、ステップＳ８で除外されなかった会社に点数付けを行う。
【００３８】
その後、ステップＳ９で会社単位のランク付けを行い、会社ランクの階層の一段下に、ステップＳ１０で人材情報のサブディレクトリを作成して会社に所属する人材をランク付けする。
一方、ステップＳ１１で機材情報のサブディレクトリを作成して会社に所属する機材をランク付けする。
【００３９】
ステップＳ１２で検索結果を出力し、その出力をもとにステップＳ１３で検査工事を依頼する会社を決定する。
検査工事終了後、ステップＳ１４で検査工事業務の結果の評価を入力し、ステップＳ１５で人材データベース及び機材データベースを更新し、ステップＳ１６で処理を終了する。
このようにして、検査人員と検査機器を迅速に確保することができる。
【００４０】
（実施形態３）
実施形態３に係るプラント検査業務支援システムについて図５、６を用いて説明する。
図５に示すプラント検査業務支援システムは、情報の入力を行う入力手段２と、人材データベース（人材ＤＢ）１２と機材データベース（機材ＤＢ）１４と検査工事データベース（検査工事ＤＢ）１６が繋がる検索手段４と、前記検索手段４で検索された人材（検査員）と機材（検査機器）をその所属する会社毎に集合する集合手段６と、前記集合手段６で集合された会社毎にランク付けするランク付け手段８と、前記ランク付け手段８で得られるランク付けデータを検索結果として出力する出力手段１０とで構成される。
【００４１】
前記入力手段２では、プラント検査工事の対象設備から検査項目を抽出する検査項目抽出手段によって抽出されたプラント検査工事を実施するために必要な少なくとも人材の人数、資格、技量を含む人材情報２１と、前記プラント検査工事を実施するために必要な少なくとも機材の種類、コスト、さらに望ましくは、保有者、製造年月、検査実績、メーカー、検定履歴、性能を含む機材情報２１と、プラント検査工事の少なくとも検査対象情報（企業名、プラント名、時期、検査部位、検査内容、等）、検査実施者情報（検査実施者名、所属、等、検査結果情報（報告書データ、検査結果の質、等）を含む過去の事例に関する検査工事情報２７といった情報が入力される。
【００４２】
人材データベース１２は、少なくとも人材の氏名、所属会社、有する資格、技量、検査実績、コスト、さらに望ましくは、トラブル歴を含む人材に関する情報が記憶される。
また、機材データベース１４は、少なくとも機材の種類、コスト、さらに望ましくは、保有者、製造年月、検査実績、メーカー、検定履歴、性能を含む機材に関する情報が記憶される。
また、検査工事データベース１６は、少なくとも検査対象情報（企業名、プラント名、時期、検査部位、検査内容、等）、検査実施者情報（検査実施者名、所属、等、検査結果情報（報告書データ、検査結果の質、等）を含む過去の事例に関する検査工事に関する情報が記憶される。
【００４３】
また、検索手段４は、検査工事情報２４をインプットすると過去の事例（検査工事データベース１６）との照合を行い、該当検査工事に必要な人材情報２１、機材情報２２を抽出する事例照合機能２８と、該事例照合機能２８より情報を受けてインプットする若しくは、新規工事の場合は直接検査工事に必要な人材情報、機材情報の最低限必須条件をインプットする検索インプット機能２３と、データベースを検索して必須条件に合致した人材または機材を抽出すると共に、データベースに収められた各種のランク付け項目や付帯条件への適合性を評価し、該当人材、該当機材をランク付けして抽出する検索機能２４と、前記検索結果をディスプレイまたは紙に出力表示する検索アウトプット機能２５と、データベースに新規情報をインプット若しくはデータを更新するデータベース（ＤＢ）管理機能２６とを有する。
【００４４】
前記検索手段４には、プラント検査工事を実施するにあたって少なくとも実績、コスト、速度、トラブル歴を含む優先する項目を重み付けする補正係数２０が入力される。
集合手段６は、前記検索手段４で検索された人材及び機材を、前記人材情報と機材情報と補正係数を全て満たすという必要条件に適合しない会社を除外する除外部３１と、該除外部で除外されなかった前記必要条件を満たす会社に点数付けする点数付け部３２とを有する。
【００４５】
前記ランク付け手段８は、前記集合手段で集合された会社毎にランク付けされた会社ランク表３３を備え、会社ランク表３３の階層の一段下に、前記会社に所属する人材若しくは機材毎にランク付けされた人材ランク表、機材ランク表を有する。
【００４６】
次にプラント検査業務支援システムにおける業務処理の具体的な方法について図６を用いて説明する。
ステップＳ２１で検査工事業務依頼があると処理が開始され、ステップＳ２２で検査工事対象設備から検査項目を抽出する。
ステップＳ２３で検査工事データベースに記憶されている情報を検索して過去の検査事例との照合を行って人材情報、機材情報の要素を抽出し、ステップＳ２４で抽出した人材情報、機材情報を入力する。また、ステップＳ２５で前記補正係数を入力する。
【００４７】
ステップＳ２６で検索実行して人材データベース及び機材データベースに記憶されている情報を検索する。ステップＳ２７で検索された人材及び機材を、前記人材情報と機材情報と補正係数のうち１つでも満たさない会社を除外し、ステップＳ２８で除外されなかった会社に点数付けを行う。
【００４８】
その後、ステップＳ２９で会社単位のランク付けを行い、会社ランクの階層の一段下に、ステップＳ３０で人材情報のサブディレクトリを作成して会社に所属する人材をランク付けする。
一方、ステップＳ３１で機材情報のサブディレクトリを作成して会社に所属する機材をランク付けする。
【００４９】
ステップＳ３２で検索結果を出力し、その出力をもとにステップＳ３３で検査工事を依頼する会社を決定する。
検査工事終了後、ステップＳ３４で検査工事業務の結果の評価を入力し、ステップＳ３５で人材データベース及び機材データベース、検査工事データベースを更新し、ステップＳ３６で処理を終了する。
このようにして、過去の検査事例を参照に人材情報と機材情報を決定する機能が付加された結果、より正確且つ迅速に検査人員と検査機器を確保することができる。
【００５０】
（実施形態４）
実施形態４に係るプラント検査業務支援システムについて図７、８を用いて説明する。
図７に示すプラント検査業務支援システムは、情報の入力を行う入力手段２と、人材データベース（人材ＤＢ）１２と機材データベース（機材ＤＢ）１４と会社情報データベース（会社情報ＤＢ）１８が繋がる検索手段４と、前記検索手段４で検索された人材（検査員）と機材（検査機器）をその所属する会社毎に集合する集合手段６と、前記集合手段６で集合された会社毎にランク付けするランク付け手段８と、前記ランク付け手段８で得られるランク付けデータを検索結果として出力する出力手段１０とで構成される。
【００５１】
前記入力手段２では、プラント検査工事の対象設備から検査項目を抽出する検査項目抽出手段によって抽出されたプラント検査工事を実施するために必要な少なくとも人材の人数、資格、技量を含む人材情報２１と、前記プラント検査工事を実施するために必要な少なくとも機材の種類、メーカー、性能、コストを含む機材情報２１といった情報が入力される。
【００５２】
人材データベース１２は、少なくとも人材の氏名、所属会社、有する資格、技量、検査実績、コスト、さらに望ましくは、トラブル歴を含む人材に関する情報が記憶される。
また、機材データベース１４は、少なくとも機材の種類、コスト、さらに望ましくは、保有者、製造年月、検査実績、メーカー、検定履歴、性能を含む機材に関する情報が記憶される。
また、会社情報データベース１８は、少なくとも会社基本情報（企業名、資本金、従業員数、自社および他社との資本関係、他） 、検査実績情報（これまでに依頼した検査の実績、検査結果の質、検査コスト、事務手続き能力、過去のトラブル歴、他）を含む会社の検査工事に関する会社情報が記憶されている。
【００５３】
また、検索手段４は、検索機能２４に付属し、会社情報を照合してランク付けにあたって必要な情報を抽出する会社情報照合機能２９と、検査工事に必要な人材情報、機材情報の最低限必須条件をインプットする検索インプット機能２３と、データベースを検索して必須条件に合致した人材または機材を抽出すると共に、データベースに収められた各種のランク付け項目や付帯条件への適合性を評価し、該当人材、該当機材をランク付けして抽出する検索機能２４と、前記検索結果をディスプレイまたは紙に出力表示する検索アウトプット機能２５と、データベースに新規情報をインプット若しくはデータを更新するデータベース（ＤＢ）管理機能２６とを有する。
【００５４】
前記検索手段４には、プラント検査工事を実施するにあたって少なくとも実績、コスト、さらに望ましくは、技量、対応速度、トラブル歴を含む優先する項目を重み付けする補正係数２０が入力される。
集合手段６は、前記検索手段４で検索された人材及び機材を、前記人材情報と機材情報と補正係数を全て満たすという必要条件に適合しない会社を除外する除外部３１と、該除外部で除外されなかった前記必要条件を満たす会社に点数付けする点数付け部３２とを有する。
【００５５】
前記ランク付け手段８は、前記集合手段で集合された会社毎にランク付けされた会社ランク表３３を備え、会社ランク表３３の階層の一段下に、前記会社に所属する人材若しくは機材毎にランク付けされた人材ランク表、機材ランク表を有する。
なお、ランク付けにあたっては会社情報データベース１８から得た対象会社の過去の実績情報を加味する。
【００５６】
次にプラント検査業務支援システムにおける業務処理の具体的な方法について図８を用いて説明する。
ステップＳ４１で検査工事業務依頼があると処理が開始され、ステップＳ４２で検査工事対象設備から検査項目を抽出する。ステップＳ４３で抽出された検査項目から人材情報、機材情報の要素を抽出し、ステップＳ４４で抽出した人材情報、機材情報を入力する。また、ステップＳ４５で前記補正係数を入力する。
【００５７】
ステップＳ４６で検索実行して人材データベース及び機材データベース、会社情報データベースに記憶されている情報を検索する。ステップＳ４７で検索された人材及び機材を、前記人材情報と機材情報と補正係数のうち１つでも満たさない会社を除外し、ステップＳ４８で除外されなかった会社に点数付けを行う。
【００５８】
その後、ステップＳ４９で会社単位のランク付けを行い、会社ランクの階層の一段下に、ステップＳ５０で人材情報のサブディレクトリを作成して会社に所属する人材をランク付けする。
一方、ステップＳ５１で機材情報のサブディレクトリを作成して会社に所属する機材をランク付けする。
【００５９】
ステップＳ５２で検索結果を出力し、その出力をもとにステップＳ５３で検査工事を依頼する会社を決定する。
検査工事終了後、ステップＳ５４で検査工事業務の結果の評価を入力し、ステップＳ５５で人材データベース及び機材データベース、会社情報データベースを更新し、ステップＳ５６で処理を終了する。
このようにして、検査工事を実施する会社情報を参照に人材情報と機材情報を決定する機能が付加された結果、より正確且つ迅速に検査人員と検査機器を確保することができる。
【００６０】
（実施形態５）
実施形態５に係るプラント検査業務支援システムについて図９、１０を用いて説明する。
図９に示すプラント検査業務支援システムは、情報の入力を行う入力手段２と、人材データベース（人材ＤＢ）１２と機材データベース（機材ＤＢ）１４と検査工事データベース（検査工事ＤＢ）１６と会社情報データベース（会社情報ＤＢ）１８とが繋がる検索手段４と、前記検索手段４で検索された人材（検査員）と機材（検査機器）をその所属する会社毎に集合する集合手段６と、前記集合手段６で集合された会社毎にランク付けするランク付け手段８と、前記ランク付け手段８で得られるランク付けデータを検索結果として出力する出力手段１０とで構成される。
【００６１】
前記入力手段２では、プラント検査工事の対象設備から検査項目を抽出する検査項目抽出手段によって抽出されたプラント検査工事を実施するために必要な少なくとも人材の人数、資格、技量を含む人材情報２１と、前記プラント検査工事を実施するために必要な少なくとも機材の種類、コスト、さらに望ましくは、保有者、製造年月、検査実績、メーカー、検定履歴、性能を含む機材情報２１と、プラント検査工事の少なくとも検査対象情報（企業名、プラント名、時期、検査部位、検査内容、等）、検査実施者情報（検査実施者名、所属、等、検査結果情報（報告書データ、検査結果の質、等）を含む過去の事例に関する検査工事情報２７といった情報が入力される。
【００６２】
人材データベース１２は、少なくとも人材の氏名、所属会社、有する資格、技量、検査実績、コスト、さらに望ましくは、トラブル歴を含む人材に関する情報が記憶される。
また、機材データベース１４は、少なくとも機材の種類、コスト、さらに望ましくは、保有者、製造年月、検査実績、メーカー、検定履歴、性能を含む機材に関する情報が記憶される。
また、検査工事データベース１６は、少なくとも検査対象情報（企業名、プラント名、時期、検査部位、検査内容、等）、検査実施者情報（検査実施者名、所属、等、検査結果情報（報告書データ、検査結果の質、等）を含む過去の事例に関する検査工事に関する情報が記憶される。
また、会社情報データベース１８は、少なくとも会社基本情報（企業名、資本金、従業員数、自社および他社との資本関係、他） 、検査実績情報（これまでに依頼した検査の実績、検査結果の質、検査コスト、事務手続き能力、過去のトラブル歴、他）を含む会社の検査工事に関する会社情報が記憶されている。
【００６３】
また、検索手段４は、検索機能２４に付属し会社情報を照合してランク付けにあたって必要な情報を抽出する会社情報照合機能２９と、検査工事情報２４をインプットすると過去の事例（検査工事データベース１６）との照合を行い、該当検査工事に必要な人材情報２１、機材情報２２を抽出する事例照合機能２８と、該事例照合機能２８より情報を受けてインプットする若しくは、新規工事の場合は直接検査工事に必要な人材情報、機材情報を最低限必須条件をインプットする検索インプット機能２３と、データベースを検索して必須条件に合致した人材または機材を抽出すると共に、データベースに収められた各種のランク付け項目や付帯条件への適合性を評価し、該当人材、該当機材をランク付けして抽出する検索機能２４と、前記検索結果をディスプレイまたは紙に出力表示する検索アウトプット機能２５と、データベースに新規情報をインプット若しくはデータを更新するデータベース（ＤＢ）管理機能２６とを有する。
【００６４】
前記検索手段４には、プラント検査工事を実施するにあたって少なくとも実績、コスト、さらに望ましくは、技量、対応速度、トラブル歴を含む優先する項目を重み付けする補正係数２０が入力される。
集合手段６は、前記検索手段４で検索された人材及び機材を、前記人材情報と機材情報と補正係数を全て満たすという必要条件に適合しない会社を除外する除外部３１と、該除外部で除外されなかった前記必要条件を満たす会社に点数付けする点数付け部３２とを有する。
【００６５】
前記ランク付け手段８は、前記集合手段で集合された会社毎にランク付けされた会社ランク表３３を備え、会社ランク表３３の階層の一段下に、前記会社に所属する人材若しくは機材毎にランク付けされた人材ランク表、機材ランク表を有する。
なお、ランク付けにあたっては会社情報データベース１８から得た対象会社の過去の実績情報を加味する。
【００６６】
次にプラント検査業務支援システムにおける業務処理の具体的な方法について図１０を用いて説明する。
ステップＳ６１で検査工事業務依頼があると処理が開始され、ステップＳ６２で検査工事対象設備から検査項目を抽出する。
ステップＳ６３で検査工事データベースに記憶されている情報を検索して過去の検査事例との照合を行って人材情報、機材情報の要素を抽出し、ステップＳ６４で抽出した人材情報、機材情報を入力する。また、ステップＳ６５で前記補正係数を入力する。
【００６７】
ステップＳ６６で検索実行して人材データベース及び機材データベース、会社情報データベースに記憶されている情報を検索する。ステップＳ６７で検索された人材及び機材を、前記人材情報と機材情報と補正係数のうち１つでも満たさない会社を除外し、ステップＳ６８で除外されなかった会社に点数付けを行う。
【００６８】
その後、ステップＳ６９で会社単位のランク付けを行い、会社ランクの階層の一段下に、ステップＳ７０で人材情報のサブディレクトリを作成して会社に所属する人材をランク付けする。
一方、ステップＳ７１で機材情報のサブディレクトリを作成して会社に所属する機材をランク付けする。
【００６９】
ステップＳ７２で検索結果を出力し、その出力をもとにステップＳ７３で検査工事を依頼する会社を決定する。
検査工事終了後、ステップＳ７４で検査工事業務の結果の評価を入力し、ステップＳ７５で人材データベース及び機材データベース、検査工事データベース、会社情報データベースを更新し、ステップＳ７６で処理を終了する。
このようにして、過去の事例を参照に人材情報、機材情報を決定する機能、会社情報を参照にランク付けを行う機能が付加された結果、より正確且つ迅速に検査人員の確保、検査機器の確保が行うことができる。
【産業上の利用可能性】
【００７０】
本発明によれば、各種プラントの検査工事に必要な検査員と検査機器を迅速に確保することができることができるので、ラントの停止につながるようなトラブルを未然に防止可能なプラント検査教務支援システムへの適用に際して有益である。
【図面の簡単な説明】
【００７１】
【図１】実施形態１に係るプラント検査業務支援システムを示すブロック図である。
【図２】実施形態１に係るプラント検査業務支援システムにおける業務処理の概略をフローチャートである。
【図３】実施形態２に係るプラント検査業務支援システムを示すブロック図である。
【図４】実施形態２に係るプラント検査業務支援システムにおける業務処理の概略をフローチャートである。
【図５】実施形態３に係るプラント検査業務支援システムを示すブロック図である。
【図６】実施形態３に係るプラント検査業務支援システムにおける業務処理の概略をフローチャートである。
【図７】実施形態４に係るプラント検査業務支援システムを示すブロック図である。
【図８】実施形態４に係るプラント検査業務支援システムにおける業務処理の概略をフローチャートである。
【図９】実施形態５に係るプラント検査業務支援システムを示すブロック図である。
【図１０】実施形態５に係るプラント検査業務支援システムにおける業務処理の概略をフローチャートである。
【符号の説明】
【００７２】
２      入力手段
４      検索手段
６      集合手段
８      ランク付け手段
１０    出力手段
１２    人材データベース
１４    機材データベース
１６    検査工事データベース
１８    会社情報データベース
２０    補正係数
【図１】
2010134815.tif 000003
【図２】
2010134815.tif 000004
【図３】
2010134815.tif 000005
【図４】
2010134815.tif 000006
【図５】
2010134815.tif 000007
【図６】
2010134815.tif 000008
【図７】
2010134815.tif 000009
【図８】
2010134815.tif 000010
【図９】
2010134815.tif 000011
【図１０】
2010134815.tif 000012